(57)【要約】【課題】装身具としてより優れたネックピースを提供すること。【解決手段】携行品を首に吊り下げるための紐部材を備えているネックピース１であって、前記紐部材２はコロナ放電可能な導電素材２２を含むものであるネックピース１である。紐部材２は、首に掛けられる環状の紐本体２１と、当該紐本体２１に取り付けられた導電性部材２２とを含むものであり、導電性部材２２は、少なくとも一部の素材として導電性繊維を用いて構成されたものである。また、導電性部材２２は、少なくとも一部が前記紐本体２１に覆われている。【選択図】図１
2016035511.tif 000002
【特許請求の範囲】
【請求項１】
携行品を首に吊り下げるためのネックピースで用いられる紐であり、コロナ放電可能な導電素材を含むネックピース用の紐。
【請求項２】
前記紐は、首に掛けられる環状の紐本体と、当該紐本体に取り付けられた導電性部材とを含むものであり、
当該導電性部材は、少なくとも一部の素材として導電性繊維を用いて構成されたものである、請求項１に記載のネックピース用の紐。
【請求項３】
前記導電性部材は、少なくとも一部が前記紐本体に覆われている、請求項２に記載のネックピース用の紐。
【請求項４】
前記紐本体は、その長手方向に延在する中空部を備えている、請求項２又は請求項３に記載のネックピース用の紐。
【請求項５】
前記導電性部材は、前記中空部に配置されている、請求項４に記載のネックピース用の紐。
【請求項６】
前記導電性部材は、前記導電性繊維を含む帯状の織物又は編物である、請求項２から請求項５のいずれか一項に記載のネックピース用の紐。
【請求項７】
請求項１から請求項６のいずれか一項に記載のネックピース用の紐を用いたネックピース。
【発明の詳細な説明】
【技術分野】
【０００１】
本発明は、ネックピースおよびこれに用いられる紐に関する。
【背景技術】
【０００２】
ネックピースは、ネックストラップとも称されるものであり、社員証などのＩＤカードや携帯電話機などの小型の携行品を首に吊り下げるための手段として広く用いられている。
【０００３】
このネックピースは、比較的長時間にわたって首に掛けられた状態で用いられるものであり、しかも首に掛けた状態をあまり意識されることなく用いられることが多い。そして、このような使用状態が考慮されたネックピースが種々開発されている。
【０００４】
例えば、ＩＤカードを吊り下げるためのネックピースとしては、ネックピースに取り付けられたカードホルダ内のＩＤカードを常に正面側に向けるために、カードホルダの裏返りを防止する手段を備えたネックピースがある（先行技術文献１参照）。
【先行技術文献】
【特許文献】
【０００５】
【特許文献１】特開２０１２−１４１３６５号公報
【発明の概要】
【発明が解決しようとする課題】
【０００６】
ところで、ネックピースは、上述したように、ＩＤカードなどの携行品を吊り下げる手段であるが、首に掛けられた状態で用いられるものであり、装身具の一つということができるものである。
本発明は、このような問題点に鑑みてなされたものであり、装身具としてより優れたネックピースを提供することを課題とする。
【課題を解決するための手段】
【０００７】
本出願に係る発明は、携行品を首に吊り下げるためのネックピースで用いられる紐であり、コロナ放電可能な導電素材を含むネックピース用の紐である。
そして、前記紐は、首に掛けられる環状の紐本体と、当該紐本体に取り付けられた導電性部材とを含むものであり、当該導電性部材は、少なくとも一部の素材として導電性繊維を用いて構成されたものである。
また、前記導電性部材は、少なくとも一部が前記紐本体に覆われていることが好ましく、前記紐本体は、その長手方向に延在する中空部を備えているものが好ましい。
さらに、前記導電性部材は、前記中空部に配置されていることが好ましく、前記導電性部材は、前記導電性繊維を含む帯状の織物又は編物であるものが好ましい。
【０００８】
また、本出願に係る別の発明は、上述したネックピース用の紐を用いたネックピースである。
【発明の効果】
【０００９】
本出願に係る発明であるネックピース用の紐であれば、首に掛けた状態において、コロナ放電によって帯電した静電気を放電することができる。身に着けているものが静電気を帯電すると、体にまとわりつくようなことがあるが、本発明に係るネックピースであれば、静電気が放電された状態が確保されるので、まとわりつきが防止される。これにより、ネックピースを首に掛けた状態で作業や活動を行う際、ネックピースが洋服にまとわりついたり、手や手で取り扱っているものに引っかかったりするようなことが防止され、ネックピースを装着した状態における作業性が確保される。
【図面の簡単な説明】
【００１０】
【図１】本出願に係るネックピースの要部を示す斜視図である。
【図２】図１のＡ−Ａ断面を示す斜視図である。
【符号の説明】
【００１１】
１…ネックピース（ネックストラップ）、
２…紐部材（紐）、21…紐本体、22…導電性部材、
３…係合部材、４…留め具。
【発明を実施するための形態】
【００１２】
次に、本発明に係るネックピースについて、図１および図２を参照しつつ説明する。
ネックピース１は、携行品を首に吊り下げるためのものであり、環状の紐部材（紐）２と、紐部材２に携行品を連結するための係合部材３とを備えている。なお、係合部材３及びその取付け構造等は公知のものであるので、ここではその詳細な説明を省略する。
【００１３】
紐部材２は、図２に示されるように、首に掛けられる環状の紐本体21と、紐本体21に取り付けられた導電性部材22とを備えている。
【００１４】
紐本体21は、いわゆる袋織りで製造された筒状の紐であり、紐部材２は、この紐本体21に所定の留め具４を取り付けて構成した環状の部材である。なお、図１及び図２は、紐本体21および導電性部材22を簡略的に示したものであり、織物状に描くことを省略したものである。
紐本体21の形状は、袋織りによって形成された筒形状に限られるものではない。例えば紐本体の製造方法としては袋織り以外の方法を用いることができ、また紐本体の形状は、たとえば断面Ｕ字形状など長手方向に延在する中空部を備えているものであればよい。
また、紐本体は、織物に限られるものではなく、例えば、編物や通気孔を備えた合成樹脂素材のチューブ形状のものなど、種々のものを挙げることができる。
織物や編物の紐を用いる場合、紐の素材としては、アクリル繊維、ポリエステル繊維、ナイロン繊維などの合成繊維や綿などの天然繊維など種々の繊維素材を用いて製造した紐を用いることができる。
【００１５】
導電性部材22は、より具体的には帯状体であり、筒状の紐本体の内部（中空部）に配置されている（図２参照）。
なお、導電性部材22としては、コロナ放電可能なものであればよく、例えば導電性繊維を用いたものなど、種々のものを挙げることができる。また、導電性繊維としては、たとえば、金属製などのいわゆる無機導電性繊維や有機導電性繊維などを挙げることができる。本実施例では、少なくとも一部に導電性繊維が用いられた糸を用いて織られた帯状の織物である。
導電性部材22の配置状態としては、図２に示されるように、導電性部材の全体が紐本体の内部に配置された状態（全体が紐本体に覆われた状態）のほかにも、例えば導電性部材の一部が紐本体に覆われている状態など、種々の状態を挙げることができる。
なお、導電性部材の一部を外部に露出させた状態にすると、空気中への自己放電効率をより高めることができる点で好ましい。露出させる位置としては、種々の位置を採用することができる。例えば、首に掛けたときに首に隣接する位置の導電性部材を外界に露出させた構造にすると、導電性部材による空気中への自己放電効率を向上させることができるだけでなく、導電性部材と人体や洋服との接触機会を増やすことができる。
【００１６】
また、紐本体21が織物又は編物の場合は、織物の織り密度や編物の編み密度を調整することによって、導電性部材の一部を外部に露出させる構成にすることができる。紐本体の織り密度や編み密度を低くすると、繊維や糸の隙間が大きくなって導電性部材の一部が外部に露出する状態にいなり、導電性部材による空気中への自己放電効率を向上させることができる。
【００１７】
本実施例のネックピース１を製造する場合は、用意した紐本体21に所望の留め具４を取り付けて環状の紐部材２を製造する前にあらかじめ、紐本体21の内部に帯状の導電性部材22を挿入する。
これ以外の製造工程は、公知のネックピースと同様であるので、ここではその詳細な説明を省略する。
【００１８】
また、本実施例のネックピース１は、従来のネックピースと同様、首に掛けて用いることができる。つまり、これまでのネックピースと同様に取り扱うことができる。
【００１９】
ところで、ネックピースを首に掛けた状態でネックピース装着者が活動すると、ネックピースが揺れ動いてネックピース装着者の着衣や皮膚との間で擦れが生じる。そして、従来のネックピースであれば、この擦れが原因でネックピース、着衣および人体が帯電することがある。そして、帯電した状態になると、ネックピースや着衣のまとわりつきが生じることがある。また、人体が帯電すると、例えばドアノブを握ろうとしたとき、静電気の通電によってドアノブとの接触位置で痛みを感じるなど不快な思いすることがある。
この点、本実施例のネックピース１であれば、ネックピース１と着衣や皮膚との間での擦れに起因して静電気が生じるとしても、生じた静電気の帯電を防止することができる。
つまり、本実施例のネックピース１は、導電性部材22を備えているので、紐本体21が帯電したとしても、反対の電極の静電気が導電性部材22から自己放電され、紐本体21における帯電は中和される。これにより、ネックピース１自体の帯電が防止される。また、導電性部材22は、空気中に自己放電できるので、導電性部材22自体における帯電も中和される。
このようにして、ネックピース１の紐本体21の帯電を防止することができれば、ネックピース１と着衣や皮膚との間における擦れに起因して着衣や皮膚が帯電することを未然に防止することができる。
【００２０】
なお、本発明に係るネックピースは、上記実施例のネックピースに限られるものではない。本発明の趣旨を逸脱しない範囲で改変されたネックピースは、本発明の範囲に含まれる。
【図１】
2016035511.tif 000003
【図２】
2016035511.tif 000004